(57)【要約】【課題】ハウスダスト掃除機を提供する。【解決手段】ハウスダスト掃除機は掃除機本体およびハウスダスト除去装置から構成される。ハウスダスト除去装置は掃除機本体の前段部に着脱可能なように装着され、かつ回路基板、振動器および紫外線殺菌ランプを有する。回路基板は電源に電気的に接続される。振動器は前記回路基板に電気的に接続される。紫外線殺菌ランプはハウスダスト除去装置の底面に装着され、かつ回路基板に電気的に接続される。掃除機本体とハウスダスト除去装置とが結合すれば、寝具にハウスダスト除去機能を果たす。掃除機本体とハウスダスト除去装置とが分離すれば、単なる掃除機本体で一般の掃除を行う。上述した構造により、ハウスダスト掃除機はハウスダスト掃除機能および一般の掃除機能を兼ね備える。【選択図】図１
2017035291.tif 000002
【特許請求の範囲】
【請求項１】
掃除機本体およびハウスダスト除去装置を備え、
前記掃除機本体は、電源に電気的に接続され、かつ吸引方向すなわち前方に位置する第一吸引口と、前記第一吸引口の下方辺縁部に形成された当接面と、側面に形成された係止孔と、グリップと、少なくとも一つの第一導電部とを有し、
前記ハウスダスト除去装置は、前記掃除機本体の前段部に着脱可能なように装着され、かつ回路基板、振動器、吸引通路、少なくとも一つの第二導電部、開口部、格納溝、紫外線殺菌ランプ、連結溝および係止機構を有し、
前記回路基板は電源に電気的に接続され、
前記振動器は前記回路基板に電気的に接続され、
前記吸引通路は一端に形成された第二吸引口と、他端に形成された第三吸引口とを有し、
少なくとも一つの前記第二導電部は、前記掃除機本体の少なくとも一つの前記第一導電部に対応し、
前記開口部は、前記ハウスダスト除去装置の底面に形成され、
前記格納溝は、前記開口部に凹んで形成され、
前記紫外線殺菌ランプは、前記ハウスダスト除去装置の底面の前記格納溝に格納され、かつ前記回路基板に電気的に接続され、
前記連結溝は、前記ハウスダスト除去装置の後方の中央に凹んで形成され、かつ前記第二吸引口に繋がり、
前記格納溝は、壁面が前記連結溝に突出し、かつ前記当接面に対応する受け面を有し、
前記係止機構は、前記掃除機本体の前記係止孔に対応するように前記ハウスダスト除去装置に装着され、
前記ハウスダスト除去装置と前記掃除機本体とを結合させる際、前記掃除機本体の前段部と前記ハウスダスト除去装置とは結合し、前記第一吸引口と前記第二吸引口とは前記掃除機本体の前記前段部の前記連結溝によって相互に連絡し、前記掃除機本体の前記当接面は前記ハウスダスト除去装置の前記受け面に当接し、少なくとも一つの前記第一導電部は少なくとも一つの前記第二導電部に電気的に接続され、前記係止機構は前記係止孔に可動するように係止されることを特徴とする、
ハウスダスト掃除機。
【請求項２】
前記ハウスダスト除去装置は、さらに底面に凹んだ複数の凹状部と、前記凹状部に装着された複数のホイールとを有することを特徴とする請求項１に記載のハウスダスト掃除機。
【請求項３】
前記ハウスダスト除去装置は、さらに二つのランプソケットを有し、二つの前記ランプソケットは前記格納溝に装着され、前記回路基板に電気的に接続され、前記紫外線殺菌ランプは両側が二つの前記ランプソケットに接続されることを特徴とする請求項２に記載のハウスダスト掃除機。
【請求項４】
前記ハウスダスト除去装置は、さらに押圧機構を有し、前記凹状部は先端に形成された穿孔を有し、前記押圧機構は前記回路基板の下方に位置するように前記凹状部に装着され、ホイール筐体、桿状作動部、第一スプリングおよび作動スイッチを有し、複数の前記ホイールのうちの一つの前記ホイールは前記ホイール筐体に装着され、前記桿状作動部は前記ホイール筐体から上に伸びて形成され、かつスリット４２１と、先端部に形成された大径部とを有し、前記第一スプリングは前記桿状作動部に被さり、前記桿状作動部の前記大径部は前記凹状部の前記穿孔を貫通するため、前記穿孔の上方に位置し、かつ前記凹状部の先端に当接でき、前記第一スプリングは前記凹状部の前記先端の内側辺縁部と前記ホイール筐体の頂面との間に制限され、前記桿状作動部の前記先端は前記作動スイッチに接触し、前記作動スイッチは前記回路基板に電気的に接続されることを特徴とする請求項３に記載のハウスダスト掃除機。
【請求項５】
少なくとも一つの前記第一導電部は、前記掃除機本体の側辺に配置され、前記前記掃除機本体の前記係止孔は前記第一導電部の後方に位置付けられ、二つの前記接続溝は前記掃除機本体の両側に相互に対応するように形成され、かつ少なくとも一つの前記第一導電部の前方に位置付けられ、前記掃除機本体の前記当接面は前記第一吸引口の下方辺縁部に凹んで円弧状となり、前記ハウスダスト除去装置は、さらに上シェルおよび下シェルを有し、前記上シェルと前記下シェルとが合わさると前記下シェルの凹んだ一側と前記上シェルとの間に第一チャンバーが形成され、前記下シェルは前記連結溝との間の壁面に形成された少なくとも一つの第一穿孔および一つの第二穿孔を有し、少なくとも一つの前記第一穿孔は前記第二穿孔の前方に位置し、少なくとも一つの前記第二導電部は前記下シェルかつ前記第一チャンバーに装着され、かつ一部分が少なくとも一つの前記第一穿孔を貫通し、前記下シェルはさらに二つの前記連結溝に突出した接続部を有し、二つの前記接続部は二つの前記接続溝の位置に対応し、かつ少なくとも二つの前記導電部の前方に位置付けられ、前記回路基板は前記第一チャンバー内に装着されることを特徴とする請求項１に記載のハウスダスト掃除機。
【請求項６】
前記ハウスダスト除去装置は、さらに前記第一チャンバーに形成された仕切り板を有し、前記仕切り板は前記第一チャンバーの後方壁面を囲んで空間を形成し、前記係止機構は前記空間に装着され、かつ係止ユニット、第二スプリングおよびプッシュピースを有し、前記係止ユニットは一端が嵌合部となり、他端が係止部となり、前記第二スプリングは一端が前記嵌合部に被さり当接し、他端が前記仕切り板に当接し、前記第二スプリングは前記嵌合部の圧迫力によって収縮し、復元弾力を生じることができ、前記係止ユニットの前記係止部は前記第二穿孔を自由自在に貫通し、かつ前記係止孔に可動するように係止され、前記下シェルはさらに前記第一チャンバーの後方壁面に形成された穿孔を有し、前記プッシュピースは一端から伸びて形成された接続部と、他端から形成された作動部とを有し、前記プッシュピースの前記接続部は前記下シェルの前記穿孔を貫通し、前記係止ユニットに接続されることを特徴とする請求項５に記載のハウスダスト掃除機。
【請求項７】
前記下シェルの凹んだ前側部と前記上シェルとの間には第二チャンバーが形成され、前記下シェルはさらに下から上に凹んだ凹状溝を有し、前記凹状溝は前記第三吸引口の前方に位置付けされ、壁面が前記第二チャンバー内部に突出し、前記凹状溝は前記壁面の外側に形成された結合面と、前記壁面に形成された連結孔と二つの貫通孔とを有し、前記振動器は前記結合面に据えられ、連結部および第一ブラシ機構を有し、前記振動器の前記連結部は前記凹状溝の前記連結孔を貫通し、前記第一ブラシ機構は前記下シェルの底面の前記凹状溝に装着され、かつ一側に形成された第一刷毛部と、他側に形成された連結部および二つの第一凸状部とを有し、前記第一ブラシ機構の前記連結部は前記凹状溝の前記連結孔を貫通し、前記振動器の前記連結部に連結され、前記第一ブラシ機構の二つの前記第一凸状部は前記凹状溝の二つの前記貫通孔を貫通することを特徴とする請求項５に記載のハウスダスト掃除機。
【請求項８】
前記下シェルの凹んだ他側と前記上シェルとの間には第三チャンバーが形成され、前記下シェルはさらに第二ブラシ機構を有し、前記第二ブラシ機構は第三チャンバー内に装着されることを特徴とする請求項５に記載のハウスダスト掃除機。
【請求項９】
前記第一吸引口は、前記壁面から形成された少なくとも一つの嵌合溝を有し、前記第二ブラシ機構は第二刷毛部および第二凸状部を有し、前記第二凸状部は少なくとも一つの前記嵌合溝に対応する嵌合部を有することを特徴とする請求項１に記載のハウスダスト掃除機。
【請求項１０】
前記ハウスダスト除去装置は、さらに透明キャップを有し、前記透明キャップは前記ハウスダスト除去装置の前記開口部に被さることを特徴とする請求項１に記載のハウスダスト掃除機。
【発明の詳細な説明】
【技術分野】
【０００１】
本発明は、掃除機、特にハウスダスト掃除機に関するものである。
【背景技術】
【０００２】
特許文献１により掲示された掃除機は、機体、たたき構造、ブラシ構造および紫外線殺菌ランプおよび収集ボックスから構成される。機体は後方に位置するグリップと、グリップに配置されたスイッチとを有する。スイッチは電源コードに接続される。たたき構造は機体の底面に露出するように機体に配置され、振動モーダーおよびそれに接続された片状たたき部から構成される。片状たたき部は振動モーダーの駆動力によって上下を迅速にたたく。ブラシ構造はたたき構造の後方に位置し、機体の底面に露出し、かつローラーを有する。ローラーは間隔を置いて並ぶ刷毛を有し、伝動機構に接続されることで伝動機構の駆動力を受けて回転する。紫外線殺菌ランプはブラシ構造の後方に配置される。収集ボックスは紫外線殺菌ランプの後方に配置され、ホルターと、ホルター内に嵌め込まれた二つの筐体と、二つの筐体に配置された細孔径フィルターおよび微細孔径フィルターとを有する。
寝具または平面状物体を掃除する際、掃除機を水平に保持し、たたき構造によって寝具または平面状物体の細菌、ダニ、ほこりなどをたたき出し、ブラシ構造によってベッドまたは平面状物体を清掃し、赤外線殺菌ランプによって細菌、ダニおよびその卵を殺し、収集ボックスによって細菌、ダニおよびその卵などのアレルゲンを収集およびろ過すれば、ベッドまたは平面状物体を清潔にし、清潔効果を向上させる。
【０００３】
しかしながら、該案のたたき構造はもっぱら寝具のハウスダストを除去するために設計されるため、寝具以外の場所での掃除に適用できない。
【先行技術文献】
【特許文献】
【０００４】
【特許文献１】台湾実用新案Ｍ４２４１５３号公報
【発明の概要】
【発明が解決しようとする課題】
【０００５】
本発明は、ハウスダスト掃除機能および一般の掃除機能を兼ね備えるハウスダスト掃除機を提供することを主な目的とする。
【課題を解決するための手段】
【０００６】
上述した課題を解決するため、ハウスダスト掃除機は掃除機本体およびハウスダスト除去装置から構成される。
掃除機本体は電源に電気的に接続される。掃除機本体は吸引方向、すなわち前方に位置する第一吸引口と、第一吸引口の下方辺縁部に形成された当接面と、側面に形成された係止孔と、グリップと、少なくとも一つの第一導電部とを有する。
ハウスダスト除去装置は掃除機本体の前段部に着脱可能なように装着され、かつ回路基板、振動器、吸引通路、少なくとも一つの第二導電部、開口部、格納溝、紫外線殺菌ランプ、連結溝および係止機構を有する。回路基板は電源に電気的に接続される。振動器は回路基板に電気的に接続される。吸引通路は一端に形成された第二吸引口と、他端に形成された第三吸引口とを有する。第二導電部は掃除機本体の第一導電部に対応する。開口部はハウスダスト除去装置の底面に形成される。格納溝は開口部に凹んで形成される。紫外線殺菌ラップはハウスダスト除去装置の底面の格納溝に格納され、かつ回路基板に電気的に接続される。連結溝はハウスダスト除去装置の後方の中央に凹んで形成され、かつ第二吸引口に繋がる。格納溝は壁面が連結溝に突出し、かつ当接面に対応する受け面を有する。係止機構は掃除機本体の係止孔に対応するようにハウスダスト除去装置に配置される。
ハウスダスト除去装置と掃除機本体とを結合させる際、掃除機本体の前段部とハウスダスト除去装置とは結合する。第一吸引口と第二吸引口とは掃除機本体の前段部の連結溝によって相互に連絡する。掃除機本体の当接面はハウスダスト除去装置の受け面に当接する。第一導電部は第二導電部に接触し、かつ電気的に接続される。係止機構は係止孔に可動するように係止される。
【０００７】
上述したとおり、掃除機本体とハウスダスト除去装置とを結合させれば寝具のハウスダストを除去でき、掃除機本体とハウスダスト除去装置とを分離させれば単なる掃除機本体で一般の掃除を行うことができるため、本発明によるハウスダスト掃除機はハウスダスト掃除機能および一般の掃除機能を兼ね備える。
【図面の簡単な説明】
【０００８】
【図１】本発明の第１実施形態によるハウスダスト掃除機を示す斜視図である。
【図２】本発明の第１実施形態によるハウスダスト掃除機のうちの掃除機本体を示す斜視図である。
【図３】本発明の第１実施形態によるハウスダスト掃除機のうちのハウスダスト除去装置を示す斜視図である。
【図４】本発明の第１実施形態によるハウスダスト掃除機のうちのハウスダスト除去装置を示す斜視分解図である。
【図５】図４の５−５線に沿った断面図、即ち振動器および第一ブラシ機構が下シェルに組み立てられた状態を示す断面図である。
【図６】本発明の第１実施形態によるハウスダスト掃除機のうちの透明キャップとハウスダスト除去装置とが分離した状態を示す底面図である。
【図７】本発明の第１実施形態によるハウスダスト掃除機のうちのハウスダスト除去装置の内部構造と、係止孔に係止された係止ユニットの状態とを示す平面図である。
【図８】本発明の第１実施形態によるハウスダスト掃除機のうちのハウスダスト除去装置の内部構造と、係止孔に係止される前の係止ユニットの状態とを示す平面図である。
【図９】本発明の第１実施形態によるハウスダスト掃除機の一部分、即ち桿状作動部が作動スイッチに接触する前の状態を示す断面拡大図である。
【図１０】本発明の第１実施形態によるハウスダスト掃除機の一部分、即ち桿状作動部が作動スイッチに接触した状態を示す断面拡大図である。
【図１１】図１の１１−１１線に沿った断面図、すなわちハウスダスト除去を進める状態を示す断面図である。
【図１２】本発明の第２実施形態によるハウスダスト掃除機のうちの掃除機本体および第二ブラシ機構を示す斜視図である。
【発明を実施するための形態】
【０００９】
（第１実施形態）
図１から図１１に示すように、本発明の第１実施形態によるハウスダスト掃除機１００は掃除機本体１０およびハウスダスト除去装置２０から構成される。
【００１０】
図２に示すように、掃除機本体１０は、電源（図中未表示）に電気的に接続される。掃除機本体１０は、吸引方向、すなわち前方に位置する第一吸引口１１と、グリップ１２と、少なくとも一つの第一導電部１３、第一吸引口１１の下方辺縁部に形成された当接面１６と、側面に形成された係止孔１４と、二つの接続溝１５とを有する。
第１実施形態において、少なくとも一つの第一導電部１３は掃除機本体１０の側辺に配置される。係止孔１４は第一導電部１３の後方に位置付けられる。二つの接続溝１５は掃除機本体１０の両側に相互に対応するように形成され、かつ少なくとも一つの第一導電部１３の前方に位置付けられる。掃除機本体１０の当接面１６は第一吸引口１１の下方辺縁部に凹んで円弧状となる。
【００１１】
図１に示すように、グリップ１２は、電源スイッチ１２１、表示ランプ１２２および吸引力増大ボタン１２４を有する。電源スイッチ１２１は電源の投入および切断を制御する。電源スイッチ１２１を入れると表示ランプ１２２が発光する。電源スイッチ１２１を切ると表示ランプ１２２が消える。吸引力増大ボタン１２４は掃除機本体１０の吸引力を制御する。
【００１２】
図１から図３に示すように、ハウスダスト除去装置２０は掃除機本体１０の前段部に着脱可能なように装着される。ハウスダスト除去装置２０は回路基板２１、振動器３０、吸引通路２２、少なくとも一つの第二導電部２３、開口部２４、格納溝２５、紫外線殺菌ランプ２８、連結溝５０および係止機構７０を有する。
図４、図６および図７に示すように、回路基板２１は電源に電気的に接続される。振動器３０は回路基板２１に電気的に接続される。
図１１に示すように、吸引通路２２はハウスダスト除去装置２０を貫通し、一端に形成された第二吸引口２２１と、他端に形成された第三吸引口２２２とを有する。第二導電部２３は掃除機本体１０の第一導電部１３に対応する。
図２、図３および図７に示すように、本実施形態において、第一導電部１３および第二導電部２３は二つであるが、これに限らない。
図６に示すように、開口部２４はハウスダスト除去装置２０の底面に形成される。格納溝２５は開口部２４に凹んで形成される。紫外線殺菌ランプ２８はハウスダスト除去装置２０の底面の格納溝２５に格納され、かつ回路基板２１に電気的に接続される。連結溝５０はハウスダスト除去装置２０の後方の中央に凹んで形成され、かつ第二吸引口２２１に繋がる。格納溝２５は壁面が連結溝５０に突出し、かつ掃除機本体１０の当接面１６に対応する受け面２５１を有する。
図２および図３に示すように、係止機構７０は掃除機本体１０の係止孔１４に対応するようにハウスダスト除去装置２０に配置される。
【００１３】
図２、図３および図７に示すように、ハウスダスト除去装置２０と掃除機本体１０とを結合させると、掃除機本体１０の前段部とハウスダスト除去装置２０とは結合する。第一吸引口１１と第二吸引口２２１とは相互に連絡する。掃除機本体１０の当接面１６はハウスダスト除去装置２０の受け面２５１に当接する。
図１１に示すように、少なくとも一つの第一導電部１３は少なくとも一つの第二導電部２３に電気的に接続される。
図７に示すように係止機構７０は係止孔１４に可動するように係止される。
【００１４】
図６に示すように、第１実施形態において、ハウスダスト除去装置２０はさらに底面に凹んだ複数の凹状部２６と、それらに装着された複数のホイール２７とを有する。ハウスダスト除去装置２０はさらに二つのランプソケット２８１および透明キャップ２９を有する。二つのランプソケット２８１は格納溝２５に装着され、回路基板２１に電気的に接続される。紫外線殺菌ランプ２８は両側が二つのランプソケット２８１に接続される。透明キャップ２９はハウスダスト除去装置２０の開口部２４に被さる。
【００１５】
図９および図１０に示すように、ハウスダスト除去装置２０はさらに押圧機構４０を有する。凹状部２６は先端に形成された穿孔２６１を有する。押圧機構４０は回路基板２１の下方に位置するように凹状部２６に装着され、ホイール筐体４１、桿状作動部４２、第一スプリング４４および作動スイッチ４６を有する。複数のホイール２７のうちの一つのホイール２７はホイール筐体４１に装着される。桿状作動部４２はホイール筐体４１から上に伸びて形成され、かつスリット４２１と、先端部に形成された大径部４２２とを有する。桿状作動部４２の大径部４２２は直径が穿孔２６１の直径より大きい。第一スプリング４４は桿状作動部４２に被さる。桿状作動部４２の大径部４２２はスリット４２１を介して弾性的に伸縮することによって穿孔２６１を貫通するため、穿孔２６１の上方に位置し、かつ凹状部２６の先端に当接することができる。第一スプリング４４は凹状部２６の先端の内側辺縁部とホイール筐体４１の頂面との間に制限される。桿状作動部４２の先端は作動スイッチ４６に接触する。作動スイッチ４６は回路基板２１に電気的に接続される。
【００１６】
図３および図４に示すように、ハウスダスト除去装置２０はさらに上シェル６１および下シェル６２を有する。上シェル６１と下シェル６２とが合わさると、下シェル６２の凹んだ一側と上シェル６１との間に第一チャンバーＡ、下シェル６２の凹んだ前側部と上シェル６１との間に第二チャンバーＢ、下シェル６２の凹んだ他側と上シェル６１との間に第三チャンバーＣが形成される。下シェル６２は連結溝５０との間の壁面に形成された少なくとも一つの第一穿孔６３および一つの第二穿孔６４を有する。
第１実施形態において、第一穿孔６３は数が二つである。二つの第一穿孔６３は第二穿孔６４の前方に位置する。二つの第二導電部２３は下シェル６２かつ第一チャンバーＡに装着され、かつ一部分が二つの第一穿孔６３を貫通する。下シェル６２はさらに二つの連結溝５０に突出した接続部５１を有する。二つの接続部５１は二つの接続溝１５の位置に対応し、かつ二つの第二導電部２３の前方に位置付けられる。回路基板２１は図４に示すように第一チャンバーＡ内に装着される。
【００１７】
図４、図５および図６に示すように、下シェル６２はさらに下から上に凹んだ凹状溝６６を有する。凹状溝６６は第三吸引口２２２の前方に位置付けされ、壁面が第二チャンバーＢの内部に突出した。凹状溝６６は壁面の外側に形成された結合面６６１と、壁面に形成された連結孔６７と二つの貫通孔６８とを有する。
図４に示すように、下シェル６２はさらに第二ブラシ機構９０を有する。第二ブラシ機構９０は第三チャンバーＣ内に装着される。
【００１８】
図５および図６に示すように、振動器３０は結合面６６１に据えられ、連結部３１および第一ブラシ機構８０を有する。振動器３０の連結部３１は連結孔６７を貫通する。第一ブラシ機構８０は下シェル６２の底面の凹状溝６６に装着され、かつ一側に形成された第一刷毛部８２と、他側に形成された連結部８２および二つの第一凸状部８３とを有する。連結部８２は凹状溝６６の連結孔６７を貫通し、振動器３０の連結部３１に連結される。二つの第一凸状部８３は凹状溝６６の二つの貫通孔６８を貫通する。
【００１９】
図７および図８に示すように、ハウスダスト除去装置２０はさらに第一チャンバーＡに形成された仕切り板６５を有する。仕切り板６５は第一チャンバーＡの後方壁面を囲んで空間Ａ１を形成する。係止機構７０は空間Ａ１に装着され、かつ係止ユニット７１、第二スプリング７２およびプッシュピース７３を有する。
係止ユニット７１は一端が嵌合部７１１となり、他端が係止部７１２となる。第二スプリング７２は一端が嵌合部７１１に被さり、当接し、他端が仕切り板６５に当接する。第二スプリング７２は嵌合部７１１の圧迫力によって収縮し、復元弾力を生じることができる。係止ユニット７１の係止部７１２は第二穿孔６４を自由自在に貫通し、かつ係止孔７１４に可動するように係止される。下シェル６２はさらに第一チャンバーＡの後方壁面に形成された穿孔（図中未表示）を有する。プッシュピース７３は一端から伸びて形成された接続部７３１と、他端から形成された作動部７３２とを有する。プッシュピース７３の接続部７３１は下シェル６２の穿孔を貫通し、係止ユニット７１に接続される。
【００２０】
第１実施形態において、振動器３０は電磁石（図中未表示）およびスプリング（図中未表示）から構成される。振動器３０の技術および機構上の設計の範囲は広いため、電磁石およびスプリングから構成されるとは限らない。
【００２１】
以上は第１実施形態の構造についての説明である。続いて第１実施形態の操作方法について説明を進める。
【００２２】
図１から図１１に示すように、第１実施形態はハウスダスト除去および一般のほこりなどの掃除に適用できる。
【００２３】
図１から図３に示すように、本発明によってハウスダストを除去する際、まずハウスダスト除去装置２０の連結溝５０に掃除機本体１０の前段部を嵌め込む。このとき掃除機本体１０の第一吸引口１１は図１１に示すようにハウスダスト除去装置２０の第二吸引口２２１に繋がる。続いて掃除機本体１１の当接面１６をハウスダスト除去装置２０の受け面２５１に当接させ、掃除機本体１０の二つの接続溝１５にハウスダスト除去装置２０の二つの接続部５１を嵌め込む。
図７に示すように、続いて掃除機本体１０の二つの第一導電部１３とハウスダスト除去装置２０の二つの第二導電部２３とを電気的に接続し、ハウスダスト除去装置２０の係止ユニット７１の係止部７１２を掃除機本体１０の係止孔１４に嵌め込めば、掃除機本体１０とハウスダスト除去装置２０の組立が完了する。
図１０に示すように、続いて、組立が完了したハウスダスト掃除機１００を布団、布団カバー、シーツなどの寝具Ｄを水平に保持し、押圧機構４０内のホイール２７を寝具Ｄに当接させれば、押圧機構４０のホイール筐体４１は第一スプリング４４を圧縮し、上昇させ、桿状作動部４２の先端を作動スイッチ４６に接触させることによって紫外線殺菌ランプを発光させる。同時に振動器３０を振動させれば、ハウスダスト除去装置２０は左右両側の翼によって寝具Ｄの細菌、ダニ、その卵およびほこりなどをたたき出す。続いて、第一ブラシ機構８０の第一刷毛部８１によってベッドを清掃し、紫外線殺菌ランプ２８によって細菌、ダニおよびその卵を殺す。分解かつ殺された細菌、ダニおよびその卵は強い吸引力によってハウスダスト除去装置２０の第三吸引口２２２、吸引通路２２、第二吸引口２２１および掃除機本体１０の第一吸引口１１を通って掃除機本体１０内に吸入される。上述したとおり、寝具Ｄまたは平面状物体（図中未表示）にハウスダスト除去効果を果たすことができる。
【００２４】
本発明によって一般の掃除を進める際、図８に示すように、まずプッシュピース７３の作動部７３２を作動させれば係止ユニット７１は第二スプリング７２を圧縮し、係止部７１２と係止孔とを分離させる。
図２に示すように、続いて掃除機本体１０とハウスダスト除去装置２０とを分離させ、掃除機本体１０によって一般の掃除を進めることができる。ハウスダスト除去装置２０と分離した掃除機本体１０は寝具Ｄまたは平面状物体の使用に限られない。
【００２５】
掃除機本体１０とハウスダスト除去装置２０とが結合すれば、ハウスダスト掃除機１００は寝具Ｄのハウスダストを除去することができる。掃除機本体１０とハウスダスト除去装置２０とが分離すれば、ハウスダスト掃除機１００は単なる掃除機本体１０で一般の掃除を行うことができる。従ってハウスダスト掃除機１００はハウスダスト掃除機能および一般の掃除機能を兼ね備える。
【００２６】
第１実施形態において、第一導電部１３、第二導電部２３および二つ第一穿孔６３は数が二つであるが、これに限らず、一つでもよい。この部分は上述した第１実施形態の説明によって理解できるため、図面上表示を省略する。
【００２７】
（第２実施形態）
図１２に示したのはハウスダスト掃除機２００である。第１実施形態との違いは次の通りである。
【００２８】
第一吸引口１１は壁面から形成された少なくとも一つの嵌合溝１１１を有する。第二ブラシ機構９０は第二刷毛部９１および第二凸状部９２を有する。第二凸状部９２は少なくとも一つの嵌合溝１１１に対応する嵌合部９２１を有する。第２実施形態において、嵌合溝１１１および嵌合部９２１は二つであるが、これに限らない。
【００２９】
ハウスダスト掃除機２００が稼動する際、第二ブラシ機構９０が装着してある掃除機本体１０によって一般の掃除を行う。
【００３０】
第２実施形態において、嵌合溝１１１および嵌合部９２１は数が二つであるが、これに限らず、一つでもよい。この部分は上述した第２実施形態の説明によって理解できるため、図面上表示を省略する。
【００３１】
第２実施形態のそれ以外の構造は第１実施形態と同じであるため、説明を省略する。
以上、本発明は、上記実施形態になんら限定されるものではなく、発明の趣旨を逸脱しない範囲において種々の形態で実施可能である。
【符号の説明】
【００３２】
１００  ハウスダスト掃除機
２００  ハウスダスト掃除機    
１０    掃除機本体    
１１    第一吸引口    
１１１  嵌合溝    
１２    グリップ    
１２１  電源スイッチ    
１２２  表示ランプ    
１２４  吸引力増大ボタン    
１３    第一導電部    
１４    係止孔    
１５    接続溝    
１６    当接面    
２０    ハウスダスト除去装置    
２１    回路基板    
２２    吸引通路    
２２１  第二吸引口    
２２２  第三吸引口    
２３    第二導電部    
２４    開口部    
２５    格納溝    
２５１  受け面    
２６    凹状部    
２６１  穿孔    
２７    ホイール    
２８    紫外線殺菌ランプ    
２８１  ランプソケット    
２９    透明キャップ    
３０    振動器    
３１    連結部    
４０    押圧機構    
４１    ホイール筐体    
４２    桿状作動部    
４２１  スリット    
４２２  大径部    
４４    第一スプリング    
４６    作動スイッチ    
５０    連結溝    
５１    接続部    
６１    上シェル    
６２    下シェル    
６３    第一穿孔    
６４    第二穿孔    
６５    仕切り板    
６６    凹状溝    
６６１  結合面    
６７    連結孔    
６８    貫通孔    
７０    係止機構    
７１    係止ユニット    
７１１  嵌合部    
７１２  係止部    
７２    第二スプリング    
７３    プッシュピース    
７３１  接続部    
７３２  作動部    
８０    第一ブラシ機構    
８１    第一刷毛部    
８２    連結部    
８３    第一凸状部    
９０    第二ブラシ機構    
９１    第二刷毛部    
９２    第二凸状部    
９２１  嵌合部    
Ａ      第一チャンバー    
Ａ１    空間    
Ｂ      第二チャンバー    
Ｃ      第三チャンバー    
Ｄ      寝具
【図１】
2017035291.tif 000003
【図２】
2017035291.tif 000004
【図３】
2017035291.tif 000005
【図４】
2017035291.tif 000006
【図５】
2017035291.tif 000007
【図６】
2017035291.tif 000008
【図７】
2017035291.tif 000009
【図８】
2017035291.tif 000010
【図９】
2017035291.tif 000011
【図１０】
2017035291.tif 000012
【図１１】
2017035291.tif 000013
【図１２】
2017035291.tif 000014